(57)【要約】【課題】浴槽内の湯の量と湯の温度とを共に調整可能で熱回収が可能な貯湯式給湯装置を提供する。【解決手段】貯湯式給湯装置１は、浴槽７内の水の温度を検出する温度検出センサ５２と、浴槽７内の水を排水する排水装置１２、１３と、浴槽７内の水の水位を検出する水位検出センサ４８と、浴槽７内から貯湯タンク２３に熱を回収する熱回収部２５、２７、５３と、排水手段１２、１３および熱回収部２５、２７、５３を制御する制御装置２８とを備える。制御装置２８は、湯張りが開始されたとき、既に浴槽７内に湯が存在している場合に、浴槽７内の水から目標温度以上の温度を検知したときは、熱回収部２５、２７、５３を作動させ浴槽７内の水の温度が目標温度になるように調整する。次に、目標水位以上の水位を検出した場合は、排水装置１２、１３を動作させ浴槽７内の水位が目標水位になるように調整する。【選択図】図３
2014095519.tif 000002
【特許請求の範囲】
【請求項１】
湯を沸き上げる給湯機（３）と、
前記給湯機（３）が沸き上げた湯を貯蔵する貯湯タンク（２３）と、
風呂場の浴槽（７）内の水の温度を検出する温度検出手段（５２）と、
前記浴槽（７）内の水を自動排水する排水手段（１２、１３）と、
前記浴槽（７）内の水の水位を検出する水位検出手段（４８）と、
前記浴槽（７）内の湯の熱量を前記貯湯タンク（２３）に回収する熱回収手段（２５、２７、５３）と、
前記排水手段（１２、１３）および前記熱回収手段（２５、２７、５３）を制御する制御装置（２８）と、を備え、
前記制御装置（２８）は、
前記浴槽（７）内への湯張り運転が開始されたとき、既に前記浴槽（７）内に湯が存在している場合において、前記浴槽（７）内の湯から前記温度検出手段（５２）が目標温度を超える温度を検知した場合は、前記熱回収手段（２５、２７、５３）を作動させて、前記浴槽内の水の温度が目標温度になるように調整する温度調整手段（Ｓ００５、Ｓ００７）と、
前記湯張り運転が開始されたとき、既に前記浴槽（７）内に湯が存在している場合において、前記水位検出手段（４８）が目標水位を超える水位を検出した場合は、前記排水手段（１２、１３）を作動させて、前記浴槽（７）内の水位が前記目標水位になるように調整する水位調整手段（Ｓ００６）と、を有することを特徴とする貯湯式給湯装置。
【請求項２】
前記制御装置（２８）は、前記温度調整手段（Ｓ００５、Ｓ００７）による前記浴槽（７）内の水の温度を前記目標温度にする調整が完了したことを検出する浴槽温度調整完了検出手段（Ｓ０７１）を備え、
前記浴槽温度調整完了検出手段（Ｓ０７１）により前記調整が完了したことを検出してから、前記水位調整手段（Ｓ００６）が前記浴槽（７）内の水位を前記目標水位になるように調整することを特徴とする請求項１に記載の貯湯式給湯装置。
【請求項３】
前記制御装置（２８）は、前記湯張り運転が開始されたとき、既に前記浴槽（７）内に湯が存在している場合において、前記水位検出手段（４８）が前記目標水位を超える水位を検出していない場合は、前記貯湯タンク（２３）から前記目標温度の湯を前記浴槽（７）内に補水する補水手段（Ｓ００８）を有することを特徴とする請求項２に記載の貯湯式給湯装置。
【請求項４】
前記浴槽温度調整完了検出手段（Ｓ０７１）により前記調整が完了したことを検出してから、前記補水手段（Ｓ００８）が前記貯湯タンク（２３）から前記目標温度の湯を前記浴槽（７）内に補水することを特徴とする請求項３に記載の貯湯式給湯装置。
【請求項５】
前記熱回収手段（２５、２７、５３）は、前記浴槽（７）内の水と前記貯湯タンク（２３）内の水が流れる熱交換器（２５）と、前記浴槽（７）内の水を前記熱交換器（２５）の二次側を介する循環回路（８）に循環させる風呂ポンプ（５３）と、前記熱交換器（２５）の一次側を流れる水を前記貯湯タンク（２３）内を介して循環させる追焚ポンプ（２７）とから成り、前記浴槽（７）内の湯の温度が前記目標温度に所定温度加えた温度以下になるまで前記風呂ポンプ（５３）と前記追焚ポンプ（２７）と、を駆動することを特徴とする請求項１ないし４のいずれか一項に記載の貯湯式給湯装置。
【請求項６】
前記排水手段（１２、１３）は、前記浴槽（７）の底部に設けられた排水栓（１２）と該排水栓（１２）の開閉を行う駆動装置（１３）とを備え、
前記制御装置（２８）は、前記水位検出手段（４８）が検出した前記浴槽（７）の水位に基づいて前記駆動装置（１３）に制御信号を供給することを特徴とする請求項１ないし５のいずれか一項に記載の貯湯式給湯装置。
【請求項７】
前記循環回路（８）内に、前記水位検出手段（４８）と、前記温度検出手段（５２）とが設けられていることを特徴とする請求項５に記載の貯湯式給湯装置。
【請求項８】
前記制御装置（２８）に操作信号を供給すると共に前記制御装置（２８）の制御状態を表示する表示画面（１５ｄ、１６ｄ）を有する遠隔装置（１５、１６）を備え、
前記遠隔装置（１５、１６）の前記表示画面（１５ｄ、１６ｄ）に、通常の湯張モードよりも設定温度が低くかつ設定水位が低い低温低水位湯張りモードの設定画面が設けられ、
前記低温低水位湯張りモードの設定画面が操作されることにより、前記通常の湯張モードから前記低温低水位湯張りモードに設定変更できることを特徴とする請求項１ないし７のいずれか一項に記載の貯湯式給湯装置。
【発明の詳細な説明】
【技術分野】
【０００１】
本発明は、既に浴槽に湯がある状態において、半身浴用等の湯量が少なく比較的低温の湯張り状態に自動的に変更することができる貯湯式給湯装置に関する。
【０００２】
本発明は、
【背景技術】
【０００３】
既に浴槽に湯がある状態において、半身浴用等の湯の量が少なく湯の温度が低い湯張り状態に自動的に変更調整することができる風呂設備が臨まれている。そこで、半身浴用の水位よりも多い湯量が検出され、湯の温度が目標温度よりも高い場合は、浴槽の水位が半身浴用の水位になるように手動で排水栓を開き、浴槽の水位がほぼ半身浴用の水位になったときに、浴槽の湯の温度が半身浴用の温度になるように、浴槽に水を供給することが考えられる。しかし、これでは、湯の温度を調整するために、湯の熱量を無駄に捨ててしまうという問題があった。
【０００４】
一方、特許文献１に記載の従来技術が知られている。この技術は、追焚が可能で、浴槽の残り湯から熱の回収が可能なヒートポンプ式給湯装置を提供するものである。そして、熱の回収を行うために、ヒートポンプ回路と、このヒートポンプ回路に設けられた給湯用熱交換器と、この給湯用熱交換器により沸かした湯を貯める貯湯タンクと、浴槽の湯を追焚熱交換器にて加熱する追焚回路とが備えられ、追焚熱交換器で浴槽の残湯と熱交換した水を、貯湯タンク底部に流入させるものである。
【０００５】
この特許文献１の技術を使用すれば、既に湯張りされている状態の入浴用の湯張り状態を半身浴用の湯張り状態に自動的に変更調整するために、水を注湯してお湯の温度を下げるのではなく、風呂の熱量を貯湯タンクに回収することで、浴槽のお湯の温度を下げることができる。
【先行技術文献】
【特許文献】
【０００６】
【特許文献１】特開２００９−２１６２６６号公報
【発明の概要】
【発明が解決しようとする課題】
【０００７】
上記特許文献１の技術によると、熱回収回路を用いて風呂の熱量を貯湯タンクに回収することができるが、浴槽内の湯の量を自動調整することができない。
【０００８】
本発明は、このような従来の技術に存在する問題点に着目して成されたものであり、その目的は、浴槽内の湯の量と浴槽内の湯の温度とを共に自動調整可能で熱回収が可能な貯湯式給湯装置を提供することにある。
【０００９】
従来技術として列挙された特許文献の記載内容は、この明細書に記載された技術的要素の説明として、参照によって導入ないし援用することができる。
【課題を解決するための手段】
【００１０】
本発明は上記目的を達成するために、下記の技術的手段を採用する。すなわち、本願に記載の発明では、湯を沸き上げる給湯機（３）と、給湯機（３）が沸き上げた湯を貯蔵する貯湯タンク（２３）と、風呂場の浴槽（７）内の水の温度を検出する温度検出手段（５２）と、浴槽（７）内の水を自動排水する排水手段（１２、１３）と、浴槽（７）内の水の水位を検出する水位検出手段（４８）と、浴槽（７）内の湯の熱量を貯湯タンク（２３）に回収する熱回収手段（２５、２７、５３）と、排水手段（１２、１３）および熱回収手段（２５、２７、５３）を制御する制御装置（２８）と、を備え、制御装置（２８）は、浴槽（７）内への湯張り運転が開始されたとき、既に浴槽（７）内に湯が存在している場合において、浴槽（７）内の湯から温度検出手段（５２）が目標温度を超える温度を検知した場合は、熱回収手段（２５、２７、５３）を作動させて、浴槽（７）内の水の温度が目標温度になるように調整する温度調整手段（Ｓ００５、Ｓ００７）と、湯張り運転が開始されたとき、既に浴槽（７）内に湯が存在している場合において、水位検出手段（４８）が目標水位を超える水位を検出した場合は、排水手段（１２、１３）を作動させて、浴槽（７）内の水位が目標水位になるように調整する水位調整手段（Ｓ００６）と、を有することを特徴としている。
【００１１】
この発明によれば、制御装置（２８）が、排水手段（１２、１３）と連携して浴槽（７）の排水を実施することができ、かつ、熱回収手段（２５、２７、５３）によって、浴槽（７）の熱量を貯湯タンク（２３）に回収することができるため、水を加えて冷ます場合と比べると、浴槽（７）の湯の熱量を無駄に捨てることなく、浴槽（７）の温度を半身浴用等の目標温度に調整できる。また、排水手段（１２、１３）を用いて自動的に浴槽水位を調整することができるから、誤って、排水しすぎることがない。よって、浴槽（７）の湯の熱量を無駄に捨てることなく、浴槽（７）の水位を半身浴用等に適した水位に素早く調整できる。
【００１２】
本願に記載の発明では、制御装置（２８）は、温度調整手段（Ｓ００５、Ｓ００７）による浴槽（７）内の水の温度を目標温度にする調整が完了したことを検出する浴槽温度調整完了検出手段（Ｓ０７１）を備え、浴槽温度調整完了検出手段（Ｓ０７１）により調整が完了したことを検出してから、水位調整手段（Ｓ００６）が浴槽（７）内の水位を目標水位になるように調整することを特徴としている。
【００１３】
この発明によれば、先に熱回収手段（２５、２７、５３）を作動させて、浴槽（７）内の水の温度が目標温度になるように調整してから、目標水位を超える浴槽（７）内の水位が目標水位になるように調整するから、水量の多い状態、つまり熱量の大きい浴槽（７）内の湯からの熱回収が可能となる
本願に記載の発明では、制御装置（２８）は、湯張り運転が開始されたとき、既に浴槽（７）内に湯が存在している場合において、水位検出手段（４８）が目標水位を超える水位を検出していない場合は、貯湯タンク（２３）から目標温度の湯を浴槽（７）内に補水する補水手段（Ｓ００８）を有することを特徴としている。
【００１４】
この発明によれば、水位検出手段（４８）が目標水位を超える水位を検出していない場合は、貯湯タンク（２３）から目標温度の湯を浴槽（７）内に所定量の湯を補水して、浴槽（７）内の水位を目標水位以上にすることができる。
【００１５】
本願に記載の発明では、浴槽温度調整完了検出手段（Ｓ０７１）により調整が完了したことを検出してから、補水手段（Ｓ００８）が貯湯タンク（２３）から目標温度の湯を浴槽（７）内に補水することを特徴としている。
【００１６】
この発明によれば、浴槽温度調整完了検出手段（Ｓ０７１）により調整が完了したことを検出してから、補水手段（Ｓ００８）が貯湯タンク（２３）から目標温度の湯を浴槽（７）内に補水するから、補水前の湯から熱回収することができるため、補水後の湯から熱回収する場合に比べると、補水する湯の温度を低くすることができる。ちなみに、補水後の湯から熱回収すると、目標温度の湯を浴槽（７）内に補水しても熱回収で湯が冷めるため、目標温度を超える湯を浴槽（７）内に補水する必要がある。
【００１７】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１８】
【図１】本発明の第１実施形態の給湯装置の全体構成図である。
【図２】上記実施形態におけるタンクユニットの構成図である。
【図３】上記実施形態におけるメインのフローチャートである。
【図４】上記実施形態における湯張り種別確認のフローチャートである。
【図５】上記実施形態における残湯の有無を判断するフローチャートである。
【図６】上記実施形態における熱回収制御のフローチャートである。
【図７】上記実施形態における自動排水制御のフローチャートである。
【図８】上記実施形態における自動補水制御のフローチャートである。
【図９】本発明の第２実施形態における遠隔装置の表示画面の説明図である。
【図１０】本発明の第３実施形態における遠隔装置の表示画面の説明図である。
【図１１】本発明の第４実施形態を示す給湯機を除く全体構成図である。
【図１２】本発明の第５実施形態を示す給湯機を除く全体構成図である。
【発明を実施するための形態】
【００１９】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２０】
各実施形態で具体的に組合せが可能であることを明示している部分同士の組合せばかりではなく、特に組合せに支障が生じなければ、明示していなくても実施形態同士を部分的に組合せることも可能である。
【００２１】
（第１実施形態）
以下、本発明の第１実施形態について図１ないし図８を用いて詳細に説明する。図１において、貯湯式給湯装置１の給湯機３は、ヒートポンプから成り、タンクユニット２との接続部位であるヒートポンプ往き部４とヒートポンプ戻り部５となる配管部分に接続されている。
【００２２】
タンクユニット２からは給湯口６へ給湯配管を介してお湯が供給される。また、タンクユニット２から風呂場の浴槽７には、該浴槽７に接続され浴槽水を後述する風呂ポンプ５３で循環する循環回路８が接続されている。浴槽７内には浴槽７内の底から予め決められた高さに設置され循環回路８を浴槽７に接続する浴槽アダプタ１１が備えられている。
【００２３】
浴槽７内の水を排水する排水栓１２の開閉をワイヤ１３ａを介して行う駆動装置１３が浴槽７の側面に設けられ、排水栓１２と駆動装置１３とは排水手段を成す排水装置１２、１３を構成している。駆動装置１３は、浴室遠隔装置（浴室リモコン）１５からの信号で排水栓１２を駆動でき排水栓１２を開閉する。１６は台所遠隔装置（台所リモコン）である。
【００２４】
給湯機３とタンクユニット２とは屋外に設置され、これら給湯機３とタンクユニット２には、水道水が水道配管１７上の止水栓１８、減圧弁２０、給水用逆止弁２１、弁２２等を介して供給されている。浴室内に置かれ遠隔装置として機能する浴室リモコン１５と台所に置かれた遠隔装置と成るメインリモコン１６には、タンクユニット２内の後述する制御装置２８から通信線と電源線とを含む配管５９、６０を介して制御信号と電源とが供給されている。通信線と電源線が一本になった電源重畳タイプの配線を使用することもできる。
【００２５】
タンクユニット２の全体構成を示す図２において、貯湯タンク２３は、給湯機３が沸かしたお湯を貯え保温するために保温材２３ａに囲まれている。貯湯タンク２３の底には水道配管１７から水道水が供給され、ヒートポンプ戻り部５から逆止弁２６と外熱交換器２５の一次側と追焚ポンプ２７を介して貯湯タンク２３にお湯が循環するようになっている。
【００２６】
貯湯タンク２３内には７個の缶体サーミスタ２４が配置され貯湯タンク２３内各部の湯の温度を計測している。貯湯タンク２３近傍には制御装置２８が配置され、缶体サーミスタ２４等の信号が供給されている。なお、制御装置２８は貯湯ＥＣＵで構成することができる。外気温度センサ２９は外気温度（Ｔａｍ）を検出するサーミスタから成る。貯湯タンク２３の上部には逃し弁３１が接続されている。３２はヒートポンプ三方弁（熱回収三方弁）、３３は中温水混合弁、３４は中温水サーミスタ、３５は追焚サーミスタ、３６は追焚１次サーミスタ、３７は給湯混合弁、３８は給湯カウンタ、４１は給湯サーミスタ、４２は風呂混合弁、４３は湯張り電磁弁（単に電磁弁４３とも言う）、４５は給湯水量を測定する風呂カウンタ、４６、４７は逆止弁である。
【００２７】
４８は循環回路８に接続された水位センサであり水圧を検出して水位を測定する。５１は水流検出手段を成すフローセンサ（フロースイッチ）、５２は風呂循環温度検出手段を成す風呂循環サーミスタであり、凍結温度検出手段（凍結温度検出サーミスタ）を兼ねている。５３は風呂ポンプである。循環回路８は外熱交換器２５の二次側を介して浴槽７内の残湯が循環し追焚や熱回収が可能となっている。従って、循環回路８の一部は、浴槽７内の水を風呂ポンプ５３で循環させて加熱する追焚回路５５の一部を兼ねる。
【００２８】
浴槽７に給湯するときは、貯湯タンク２３→中温水混合弁３３→風呂混合弁４２→電磁弁４３→風呂カウンタ４５→外熱交換器２５の二次側→浴槽アダプタ１１と経由して湯が流れる。なお、給湯経路４４は、貯湯タンク２３→中温水混合弁３３→風呂混合弁４２→電磁弁４３→風呂カウンタ４５に至るまでの回路、追焚回路５５および循環回路８を含んでいる。
【００２９】
浴槽７内に残湯が有れば、風呂ポンプ５３を回転させたときに循環回路８を流れる水の流れをフローセンサ５１が検出することで残湯の有無を確認できる。よって、風呂ポンプ５３とフローセンサ５１とは残湯検出手段を構成する部品と成る。
【００３０】
風呂循環サーミスタ５２は、循環回路８を流れる水の温度を測定し循環回路８の凍結の可能性に係る温度を検出する凍結温度検出手段５２および湯張りの残湯の温度を検出する温度検出手段５２となる。
【００３１】
制御装置２８（貯湯ＥＣＵ）は、排水手段１２、１３の駆動装置１３を制御する。制御装置２８は、凍結温度検出手段５２が所定の温度以下になった場合に残湯検出手段の部品５１、５３が残湯を検出していなければ、排水手段１２、１３の排水栓１２を閉じて、所定量の水を浴槽７に注水し、風呂ポンプ５３を駆動して循環回路８に浴槽７の水を所定時間循環する凍結防止運転を実施する。
【００３２】
循環回路８内に設置され浴槽７から循環回路８を流れる水流の有無を検出するフローセンサ５１は、水流検出手段５１を構成する。上述したように、制御装置２８は、循環回路８の風呂ポンプ５３を駆動して水流検出手段５１により浴槽７内の残湯の有無を検出する。
【００３３】
循環回路８は、循環回路８内の水流の温度である風呂循環温度を検出する風呂循環温度検出手段５２を成す風呂循環サーミスタ５２を備える。検出された風呂循環温度に応じて、風呂ポンプ５３を駆動している時間である駆動時間の長さと、風呂ポンプ５３を駆動せずに待機している時間である待機時間の長さとを設定する。
【００３４】
上述したように、浴槽７内の底から予め決められた高さに設置され、循環回路８を浴槽７に接続する浴槽アダプタ１１を備えている。凍結の可能性に係る温度を検出する凍結温度検出手段５２が所定の温度以下になったときに、浴槽アダプタ１１が水没するまでの水位である浴槽アダプタ水位までの水が浴槽７内に無い場合において、制御装置２８は、排水栓１２を閉じて、浴槽アダプタ水位まで水を浴槽７内に注水してから、凍結防止運転を実施する。
【００３５】
循環回路８は、貯湯タンク２３に給湯経路５５の一部を介して接続されている。貯湯タンク２３は、安価な深夜の電力料金で給湯機３が稼働することにより深夜に湯を貯える。制御装置２８は、凍結防止運転において、必要に応じて循環回路８を介して貯湯タンク２３内の湯が混合された所定量の湯を浴槽７内に注水することができる。この場合、循環回路８に接続される貯湯タンク２３は、安価な深夜の電力料金で運転される給湯機３によって深夜に湯を貯え、循環回路８は、凍結防止運転において、貯湯タンク２３内の湯が混合された所定量の湯を浴槽７に注湯する（必須ではない）。これによれば、凍結が発生する可能性の高いのが深夜であり、この時の凍結防止運転に安価な深夜の電力料金で貯えた湯を使用できるから、電力料金の低減に役立つと共に循環する水の温度が上昇しているから凍結防止効果が高くなる。
【００３６】
制御装置２８に操作信号を供給し制御装置２８の制御状態を表示する図１の遠隔装置１５、１６のうち、浴室遠隔装置（浴室リモコン）１５から排水栓１２の開閉を行う駆動装置１３に通信信号と電源の両方を配線５６で供給している。これによれば、駆動装置１３への通信信号と電源を遠隔装置１５から供給するから、浴槽７近辺の余計な配線を減らすことができる。また、駆動装置１５と制御装置２８との間を長い配線で連結する必要がなくなるため、ノイズ耐性の向上と施工性の向上を図ることができる。更に、制御装置２８が遠隔装置１５を介して駆動装置１３とセパレートされるため駆動装置１３が直接制御装置２８にノイズ等の悪影響を与えることがない。制御装置２８と浴室遠隔装置１５間の配線５９は、通信線と電源線とを含んでいる。制御装置２８と台所遠隔装置１６間の配線６０も、通信線と電源線とを含んでいる。
【００３７】
（第１実施形態の作動）
以下具体的に制御装置２８内で実行されるフローチャートに基づいて説明する。図３において、メインフローが開始されると、ステップＳ００１において、給湯装置１の制御状態が半身浴モードか否かが判定される。この場合、第１実施形態では遠隔装置１５、１６内の半身浴スイッチがユーザによって手動でＯＮ操作されたかを判定する。半身浴スイッチがＯＮ操作され半身浴モードのときは、ステップＳ００２において浴槽７内に所定量の残湯があるか否か、および湯張り種別の確認を行う。
【００３８】
このステップＳ００２の詳細は後述するが、このステップＳ００２によってＡからＧまでの７つの制御区分が判別し、制御区分のいずれか１つのフラグが立てられる。次に、フラグが立てられた制御区分Ａ〜Ｇのいずれかに係るステップＳ００３、Ｓ００４、Ｓ００５、Ｓ００６、Ｓ００７、Ｓ００８、Ｓ００９に進む。
【００３９】
制御区分Ａは、「湯張り種別が残湯なしで、かつ浴槽断面積の学習なし」
制御区分Ｂは、「湯張り制御区分が（残湯なしで、かつ学習あり）または（残湯なしで、かつ補水なし）」
制御区分Ｃは、「湯張り種別が残湯ありで、かつ熱回収ありで、更に自動排水あり」
制御区分Ｄは、「湯張り種別が残湯ありで、かつ熱回収なしで、更に自動排水あり」
制御区分Ｅは、「湯張り種別が残湯ありで、かつ熱回収ありで、更に自動排水なし」
制御区分Ｆは、「湯張り種別が残湯ありで、かつ熱回収なしで、更に自動排水なし」
制御区分Ｇは、「湯張り種別が残湯ありで、かつ補水なし」
以下詳細に各制御区分を説明すると、制御区分Ａでは、ステップＳ００３で予め判明している基準水位（浴槽アダプタ１１が水没する水位）ＷＢまで浴槽７内に注湯する。次に、ステップＳ００４で予め設定された設定水位（ユーザが指定した目標水位ＷＯと同じ）の注湯を行う。制御区分Ｂでは、ステップＳ００４で設定水位の注湯を行う。
【００４０】
制御区分Ｃでは、ステップＳ００５で後述する熱回収を行い、次に、ステップＳ００６で後述する自動排水を行う。制御区分Ｄでは、ステップＳ００６で後述する自動排水を行う。制御区分Ｅでは、ステップＳ００７で後述する熱回収を行い、次に、ステップＳ００８で後述する自動補水を行う。
【００４１】
制御区分Ｆでは、ステップＳ００８で後述する自動補水を行う。制御区分Ｇでは、熱回収、自動排水、自動補水、および設定水位までの注湯のいずれも行わず、次のステップＳ００９に進む。
【００４２】
ステップＳ００９では、浴槽７内の残湯の温度と目標温度とを比較し、浴槽温度が目標温度よりも低いかを判定する。浴槽温度が目標温度よりも低い場合はステップＳ０１０で追焚を行い浴槽７内の残湯の温度を上げて、次のステップＳ０１１に進む。なお、ステップＳ００９において、浴槽温度が目標温度よりも低くない場合も、次のステップＳ０１１に進む。なお、追焚は、周知のように追焚ポンプ２７と風呂ポンプ５３とを回転させ、熱交換器２５を介して浴槽７の湯と湯タンク２３内の湯とを熱交換させる。
【００４３】
次のステップＳ０１１では、湯張り種別が（残湯なしで、かつ補水なし）または（残湯ありで、かつ補水なし）であるかを判定する。湯張り種別が（残湯なしで、かつ補水なし）または（残湯ありで、かつ補水なし）である場合は、ステップＳ０１２に進み浴槽７内の残湯の水位を確認する。この水位確認は、水圧を検出する水位センサ４８にて、今現在の浴槽７内の水位を記憶する。
【００４４】
次に、ステップＳ０１３において、湯張り種別が残湯なしで、かつ学習なしかどうかを判定する。湯張り種別が残湯なしで、かつ学習なしである場合は、ステップＳ０１４で浴槽断面積を学習する。この浴槽断面積の学習は、図３のステップＳ００３、Ｓ００４、Ｓ００９〜Ｓ０１４までの従来と同じ制御でも実施されているものである。
【００４５】
具体的には基準水位から設定水位まで注湯したときに湯の体積が風呂カウンタ４５の積算値で判明し、浴槽７内の水位の変化も判明するため、浴槽断面積が求められ、ステップＳ０１４７にて、求めた浴槽断面積を記憶（学習）している。この浴槽断面積は、浴槽７内のお湯が減ったときにどれだけ補水すればよいかの計算に使用する。上記ステップＳ０１１において、湯張り種別が（残湯なしで、かつ補水なし）か、または（残湯があっても、補水なし）であるときは、水位の確認をしないで直ちに終了する。
【００４６】
（浴槽残湯確認および湯張り種別確認制御）
次に、図３のステップＳ００２における浴槽残湯確認および湯張り種別確認の詳細について図４および図５を用いて説明する。図４のフローチャートが開始されると、ステップＳ０２１において、風呂ポンプ５３をＯＮし回転させる。そして、ステップＳ０２２で浴槽７内に残湯が有るか判定する。所定量の残湯がある場合は、ステップＳ０２３で風呂ポンプ５３をＯＦＦにする。
【００４７】
更に、ステップＳ０２４に進み、浴槽７内の残湯の温度を風呂循環温度と同じとして設定する。次に、ステップＳ０２５において、浴槽７内に注水する補水が可能であるかを判定する。水位センサ４８の値から見て浴槽７内に水を注入する補水が可能な場合は、ステップＳ０２６において浴槽７内の残湯の温度が（予め定めた目標温度＋１℃）より高いかを判定する。浴槽７内の残湯の温度が（予め定めた目標温度＋１℃）より高い場合は、ステップＳ０２７で浴槽７内の残湯の水位が、目標水位ＷＯより高いかを判定する。
【００４８】
浴槽７内の残湯の水位が、目標水位ＷＯより高い場合は、ステップＳ０２８において、湯張り種別を、制御区分Ｃ、つまり、湯張り種別が残湯ありで、かつ熱回収ありで、更に自動排水ありと決定し、制御区分Ｃのフラグを立てる。ステップＳ０２７において、浴槽７内の残湯の水位が、目標水位ＷＯより高くない場合は、ステップＳ０２９で、湯張り種別を、制御区分Ｅ、つまり、湯張り種別が残湯ありで、かつ熱回収ありで、更に自動排水なしと決定し、制御区分Ｅのフラグを立てる。
【００４９】
上記ステップＳ０２５において、補水が可能でなければ、ステップＳ０３１に進み、湯張り種別を、制御区分Ｇ、つまり、湯張り種別が残湯ありで、かつ補水なしと決定し、制御区分Ｇのフラグを立てる。上記ステップＳ０２６において、浴槽７内の残湯の温度が（予め定めた目標温度＋１℃）より高くなければ、ステップＳ０３２に進み、今現在の浴槽水位が目標水位ＷＯより高いかを判定する。浴槽水位が目標水位ＷＯより高い場合は、ステップＳ０３３において、湯張り種別を、制御区分Ｄ、つまり、湯張り種別が残湯ありで、かつ熱回収なしで、更に自動排水ありと決定し、制御区分Ｄのフラグを立てる。また、ステップＳ０３２において、浴槽水位が目標水位ＷＯより高くない場合は、ステップＳ０３４において、湯張り種別を、制御区分Ｆ、つまり、残湯ありで、かつ熱回収なしで、更に自動排水なしと決定し、制御区分Ｆのフラグを立てる。
【００５０】
上記ステップＳ０２２において、浴槽７内に残湯が無ければ、ステップＳ０３５において補水可能かを判定する。この補水可能とは水位センサ４８が正常であり目標水位から今の水位が下がっていることが判るため補水できることを示す。補水可能であれば、ステップＳ０３６で浴槽断面積の学習があり学習値が記憶されているかを判定する。浴槽断面積の学習があり学習値が記憶されている場合は、ステップＳ０３７において、湯張り種別を、制御区分Ｂ、つまり、湯張り種別が（残湯なしで、かつ学習あり）または（残湯なしで、かつ補水なし）であると決定し、制御区分Ｂのフラグを立てる。
【００５１】
上記ステップＳ０３５において、水位センサ４８の計測値が不明等で、補水可能でなければ（浴槽水位不明）、ステップＳ０３８に進み、湯張り種別を、制御区分Ｂ、つまり、湯張り種別が（残湯なしで、かつ学習あり）または（残湯なしで、かつ補水なし）と決定し、制御区分Ｂのフラグを立てる。上記ステップＳ０３６で、浴槽断面積の学習がない場合は、ステップＳ０３９において、湯張り種別を、制御区分Ａ、つまり、湯張り種別が残湯なしで、かつ学習なしと決定し、制御区分Ａのフラグを立てる。
【００５２】
（残湯有無の判定制御）
次に、図５は、図４のステップＳ０２２の残湯有無の判定の詳細を示すものである。図５において、ステップＳ０４１で風呂ポンプ５３がＯＮ状態となり回転する。ステップＳ０４２において、浴槽７内に残湯が有り、風呂ポンプ５３を回転させたときに、循環回路８を流れる水の流れをフローセンサ（フロースイッチ）５１で確認してフロースイッチがＯＮしたか否かを判定する。
【００５３】
次に、ステップＳ０４３において、フローセンサ５１がＯＮした状態がδ秒経過したかを判定する。フローセンサ５１が水の流れを検出してＯＮした場合に、ステップＳ０４３でフローセンサ５１がＯＮした状態が予め決められた所定値δ秒経過すれば、ステップＳ０４４で残湯ありのフラグを立ててステップＳ０４５で風呂ポンプ５３をＯＦＦする。
【００５４】
ステップＳ０４２でフローセンサ５１がＯＮしなかった場合には、ステップＳ０４６で、この状態が予め決められた所定値γ秒経過したことを確認してステップＳ０４７で残湯なしと判定しフラグをおろす。なお、風呂ポンプ５３をＯＮした後、何らかの原因で予め決められた所定値δ秒以上経由しても残湯ありにならない場合は、残湯なしと判断する。以上のステップＳ０４１〜Ｓ０４７は、残湯検出手段を構成する。ここでδはγより大きい（δ＞γ）。
【００５５】
（熱回収制御）
次に、図６は、図３のステップＳ００５およびステップＳ００７の詳細である熱回収制御（熱回収手段）の詳細を示すものである。図６において、熱回収制御が開始されると、ステップＳ０５１において浴槽温度調整完了フラグをフラグＯＦＦ状態にする。次に、ステップＳ０５２において浴槽７内の残湯の温度が、図２の貯湯タンク２３内の最下位の缶体サーミスタ２４ａの検出温度に１℃を加えた温度より大きいか（浴槽温度＞Ｔｈ２４ａ温度＋１℃）を判定する。（浴槽温度＞Ｔｈ２４ａ温度＋１℃）であると判定されると、ステップＳ０５３において熱回収三方弁３２を熱回収側に切り替える。
【００５６】
次に、ステップＳ０５４において風呂ポンプ５３をＯＮして回転させ、ステップＳ０５５で追焚ポンプ２７をＯＮして回転させる。次に、ステップＳ０５６において、風呂ポンプ５３を回転させたときに、循環回路８を流れる水の流れをフローセンサ（フロースイッチ）５１で確認できなかったか（水流なしか）が判定される。なお、この場合、フローセンサ（フロースイッチ）５１が所定秒の間中、連続してフロースイッチＯＦＦの状態が続くと、水流なしと判定される。
【００５７】
水流が有った場合は、ステップＳ０５７で浴槽７内の残湯の温度が、予め定めた目標温度に１℃を加えた温度以下か（浴槽温度≦目標温度＋１℃）を判定する。浴槽７内の残湯の温度が予め定めた目標温度に１℃を加えた温度以下の場合は、ステップＳ０５８で浴槽温度調整完了フラグをフラグＯＮ状態にする。例えば、浴槽温度が４２℃であり目標温度が４０℃であるときに、熱回収を行って、浴槽温度が４１℃になると、浴槽温度調整完了フラグをフラグＯＮ状態にする。なお、図２の配管の矢印は熱回収時の流れの方向を示している。
【００５８】
次に、ステップＳ０５９において追焚ポンプ２７をＯＦＦとして回転を停止させ、ステップＳ０６１において、風呂ポンプ５３もＯＦＦとして回転を停止させる。そしてステップＳ０６２において、熱回収三方弁３２を沸上側に切り替える。
【００５９】
上記ステップＳ０５２において、浴槽７内の残湯の温度が、貯湯タンク２３内の最下位の缶体サーミスタ２４ａの検出温度に１℃を加えた温度より大きくないと判定された場合（判定がＮＯの場合）は、貯湯タンク２３内の湯の温度が高すぎて熱回収できないと判断し、ステップＳ０５９に進む。
【００６０】
また、上記ステップＳ０５６において、風呂ポンプ５３を回転させたときに、循環回路８を流れる水の流れをフローセンサ５１で確認できなかった場合（水流なしと判定された場合）は、ポンプ保護のため、直ちにステップＳ０５９に進む。
【００６１】
（自動排水制御）
次に、図３のステップＳ００６の自動排水制御が、図７を使用して説明される。自動排水制御が開始されると、ステップＳ０７１において、浴槽温度完了フラグがＯＮ状態であるかが判定される。つまり、浴槽７内の残湯の温度が、予め定めた目標温度に１℃を加えた温度よりも小さい場合は、図６のステップＳ０５８で浴槽温度調整完了フラグをフラグＯＮ状態にしているが、このフラグＯＮ状態を確認している。
【００６２】
浴槽温度完了フラグがＯＮ状態であれば、ステップＳ０７２において、図１の排水栓１２を開く動作をワイヤ１３ａを介して駆動装置１３にて行う。次に、ステップＳ０７３において、浴槽７内の水位が予め定めた目標水位ＷＯ以下であるか（浴槽水位≦目標水位）を判定する。
【００６３】
浴槽７内の水位が少なく（浴槽水位≦目標水位）である場合は、ステップＳ０７４において、排水栓１２を閉じる動作がワイヤ１３ａを介して駆動装置１３にて行われる。一方、上記ステップＳ０７１において、浴槽７内の残湯の温度が、予め定めた目標温度に１℃を加えた温度よりも小さくなく、図６のステップＳ０５８で浴槽温度調整完了フラグをフラグＯＮ状態にしていない場合は、熱回収で温度調節できなかった場合であり、水を注入して浴槽７内の湯を冷ます必要がある。
【００６４】
この場合、ステップＳ０７５において、図２の湯張り電磁弁４３を開き、ステップＳ０７６で浴槽７内に水を注水する。そして、ステップＳ０７７において、風呂カウンタ４５がカウントした注湯積算量（注水量）が予め定めた注湯設定量αリットル以上かを判定する。注水量が注湯設定量αリットルになるまで注湯を続けた後、ステップＳ０７８で電磁弁４３を閉じる。
【００６５】
次に、ステップＳ０７９において、浴槽７の温度を確認する。このために、風呂ポンプ５３を駆動して循環回路８を流れる水の温度を風呂循環サーミスタ５２で検出する。次に、ステップＳ０８１において、浴槽温度が、予め定めた目標温度に１℃を加えた温度以下かを判定する。浴槽温度が低く、（浴槽温度≦目標温度＋１℃）であるときは、ステップＳ０８２おいて浴槽温度完了フラグをＯＮ状態にする。
【００６６】
なお、ステップＳ０７３において、浴槽７内の水位が予め定めた目標水位以下でないときは、ステップＳ０７２に戻り排水栓１２を開いた状態が継続される。また、ステップＳ０７７において、風呂カウンタ４５がカウントした注湯積算量（注水量）が前述の注湯設定量αリットル以上でないときは、ステップＳ０７６に戻り水の注水状態が継続される。更に、ステップＳ０８１において、浴槽温度が、予め定めた目標温度に１℃を加えた温度以下でないときは、ステップＳ０７５に戻り水の注水状態が継続される。
【００６７】
また、ステップＳ０７７において、予め定めた注湯設定量αリットルは、１０リットルのような固定値でも良いし、以下の数式１から求めても良い。
（数式１）α＝（浴槽温度−目標温度）×（浴槽水位×浴槽断面積）／（目標温度−注水温度）
なお、浴槽水位は水位センサ４８の計測値である。注湯設定量αリットルが固定値のときは、フローチャート上で何回か演算のループを回って（Ｓ０８１→Ｓ０７５）適切な排水量と成るが、数式で注湯設定量を計算すると、フローチャート上で何回か演算のループを回ることなく適切な排水量と成る。
【００６８】
（自動補水制御）
次に、図３のステップＳ００８の自動補水制御が、図８を使用して説明される。自動補水制御が開始されると、ステップＳ０９１において、浴槽温度調整完了フラグがＯＮしているかを判定する。浴槽温度調整完了フラグがＯＮしている場合は、ステップＳ０９２において、図２の湯張り電磁弁４３を開く。そしてステップＳ０９３で、風呂混合弁４２で調整された目標温度の湯を浴槽７内に注入する。ステップＳ０９４において、風呂カウンタ４５で計測した注水量がβリットルの達したかを判定する。
【００６９】
注水量がβリットルに達した場合は、ステップＳ０９５で電磁弁４３を閉じる。なお、ステップＳ０９４において注水量がβリットル以上で無い場合は、ステップＳ０９３に戻る。また、ステップＳ０９１において、浴槽温度調整完了フラグがＯＮしていなければ、ステップＳ０９６に進み。注湯温度γを数式２から求める。
（数式２）γ＝（目標水位×目標温度−浴槽水位×浴槽温度）／（目標水位−浴槽水位）
次にステップＳ０９７において、電磁弁４３を開き、ステップＳ０９８においてγ℃の湯を浴槽７に注水する。この注水は、湯量が少ないために行うものであり、冷ますためではない。更に、ステップＳ０９９において、風呂カウンタ４５がカウントした注湯積算量（注水量）が、目標水位から浴槽水位を引いた値に浴槽断面積を乗じた値（単位はリットル；Ｌ）以上になったかを判定する。
【００７０】
ステップＳ０９９の判定結果がＹＥＳとなった場合は、ステップＳ１００にて電磁弁４３を閉じ、ステップＳ１０１で浴槽温度を確認する。この結果、ステップＳ１０２で浴槽温度が目標温度に１℃を加えた値以下になったときに、ステップＳ１０３に進み、浴槽温度調整完了フラグをＯＮに設定する。
【００７１】
上記ステップＳ０９９において、注湯積算量が、目標水位から浴槽水位を引いた値に浴槽断面積を乗じた値以上にならなかったときは、ステップＳ０９８に戻り注水を継続する。また、ステップＳ１０２において、浴槽温度が目標温度に１℃を加えた値以下にならなかったときはステップＳ０９８に戻り湯の注水を継続する。
【００７２】
（第１実施形態の作用効果）
上記第１実施形態においては、湯を沸き上げる給湯機３と、給湯機３が沸き上げた湯を貯蔵する貯湯タンク２３と、風呂場の浴槽７内の水の温度を検出する温度検出手段５２と、浴槽７内の水を自動排水する排水手段１２、１３と、浴槽７内の水の水位を検出する水位検出手段４８と、浴槽７内の湯の熱量を貯湯タンク２３に回収する熱回収手段２５、２７、５３と、排水手段１２、１３および熱回収手段２５、２７、５３を制御する制御装置２８とを備えている。
【００７３】
そして制御装置２８は、浴槽７内への湯張り運転が開始されたとき、既に浴槽７内に湯が存在している場合において、浴槽７内の湯から温度検出手段５２が目標温度を超える温度を検知した場合は、熱回収手段２５、２７、５３を作動させて、浴槽７内の水の温度が目標温度になるように調整する温度調整手段Ｓ００５、Ｓ００７を有する。また、制御装置２８は、湯張り運転が開始されたとき、既に浴槽７内に湯が存在している場合において、水位検出手段４８が目標水位を超える水位を検出した場合は、排水手段１２、１３を作動させて、浴槽７内の水位が目標水位になるように調整する水位調整手段Ｓ００６を有する。
【００７４】
これによれば、制御装置２８が、排水手段１２、１３と連携して浴槽７の排水を実施することができ、かつ、熱回収手段２５、２７、５３によって、浴槽７の熱量を貯湯タンク２３に回収することができるため、水を加えて冷ます場合と比べると、浴槽７の湯の熱量を無駄に捨てることなく、浴槽７の温度を半身浴用等の目標温度に調整できる。
【００７５】
また、排水手段１２、１３を用いて自動的に浴槽水位を調整することができるから、手動で排水する場合のように、誤って排水しすぎることがない。よって、浴槽７の湯の熱量を無駄に捨てることなく、浴槽７の水位を半身浴用等に適した水位に素早く調整できる。
【００７６】
また、制御装置２８は、温度調整手段Ｓ００５、Ｓ００７による浴槽７内の水の温度を目標温度にする調整が完了したことを検出する浴槽温度調整完了検出手段Ｓ０７１を備え、
浴槽温度調整完了検出手段Ｓ０７１により温度調整が完了したことを検出してから、水位調整手段Ｓ００６が浴槽７内の水位を目標水位になるように調整する。
【００７７】
これによれば、先に熱回収手段２５、２７、５３を作動させて、浴槽７内の水の温度が目標温度になるように温度調整してから、目標水位を超える浴槽７内の水位が目標水位になるように調整するから、水量の多い状態、つまり熱量の大きい浴槽７内の湯からの熱回収が可能となる
更に、制御装置２８は、湯張り運転が開始されたとき、既に浴槽７内に湯が存在している場合において、水位検出手段４８が目標水位を超える水位を検出していない場合は、貯湯タンク２３から目標温度の湯を浴槽７内に補水する補水手段Ｓ００８を有する。
【００７８】
これによれば、水位検出手段４８が目標水位を超える水位を検出していない場合は、貯湯タンク２３から目標温度の湯を浴槽７内に所定量の湯を補水して、浴槽７内の水位を目標水位以上の適度な値にすることができる。
【００７９】
次に、浴槽温度調整完了検出手段Ｓ０７１により温度調整が完了したことを検出してから、補水手段Ｓ００８が貯湯タンク２３から目標温度の湯を浴槽７内に補水する。これによれば、補水前の湯から熱回収することができるため、補水後の湯から熱回収する場合に比べると、補水する湯の温度を低くすることができる。ちなみに、補水後の湯から熱回収すると、目標温度の湯を浴槽７内に補水しても熱回収で湯が冷めるため、目標温度を超える湯を浴槽７内に補水する必要がある。
【００８０】
また、熱回収手段２５、２７、５３は、熱交換器（２５）と、浴槽７内の水を熱交換器２５の二次側を介する循環回路８に循環させる風呂ポンプ５３と、熱交換器２５の一次側を流れる水を貯湯タンク２３内を介して循環させる追焚ポンプ２７とから成り、浴槽７内の湯の温度が目標温度に所定温度（例えば１℃）加えた温度以下になるまで風呂ポンプ５３と追焚ポンプ２７とを駆動する。
【００８１】
これによれば、熱回収手段２５、２７、５３は、風呂ポンプ５３と、熱交換器２５と、追焚ポンプ２７とから成るから、浴槽７内の水を風呂ポンプ５３で熱交換器２５の二次側に循環させ、かつ貯湯タンク２３内の湯を追焚ポンプ２７で熱交換器２５の一次側に循環させて、浴槽７内の湯の温度が目標温度に所定温度加えた温度以下になるまで、貯湯タンク２７内に熱量を回収することができる。
【００８２】
更に、排水手段１２、１３は、浴槽７の底部に設けられた排水栓１２と該排水栓１２の開閉を行う駆動装置１３とを備え、制御装置２８は、水位検出手段４８が検出した浴槽７の水位に基づいて駆動装置１３に制御信号を供給する。これによれば、水位検出手段４８が検出した浴槽７の水位に基づいた制御信号に応じて自動的に浴槽７の底部に設けられた排水栓１２の開閉を行うことができるから、誤って余分な量の湯を排出してしまうことがない。
【００８３】
次に、循環回路８内に、水位検出手段４８と、温度検出手段５２とが設けられている。従って、浴槽７内の湯を循環させて温度検出することができるから、偏った浴槽７内の湯の温度を検出することがない。また、水位検出手段４８を浴槽７内に設ける必要がない。
【００８４】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。第１実施形態においては、半身浴スイッチを遠隔装置に設け、この半身浴スイッチが手動でＯＮされたときに、図３のステップＳ００２以下の制御を開始した。
【００８５】
しかし、この第２実施形態においては、図９に示すように、図９（ａ）の台所遠隔装置（メインリモコン）１６の表示画面１６ｄに表示されたパターンから成るメニュースイッチにユーザの指でタッチしてメニューの変更を行う。このために、図９（ｂ）の表示画面（リモコン画面）１６ｄにおいて、アップダウンスイッチで通常湯張りか半身浴湯張りかを選択し、決定スイッチ操作で決定する。
【００８６】
そして、半身浴モードに決定されてから、図９（ｃ）の浴室リモコン１５の湯張りスイッチを操作することにより、半身浴湯張りを実施するようにしている。なお、浴室リモコン１５の表示画面１５ｄのメニュースイッチにユーザの指でタッチして図９（ｂ）と同様のメニューの変更を行うようにしても良い。
【００８７】
上記第２実施形態においては、制御装置２８に操作信号を供給すると共に制御装置２８の制御状態を表示する表示画面１５ｄ、１６ｄを有する遠隔装置１５、１６を備える。そして、遠隔装置１５、１６の表示画面１５ｄ、１６ｄに、通常の湯張モードよりも設定温度が低くかつ設定水位が低い低温低水位湯張りモード（例えば半身浴湯張りモード）の設定画面が設けられ、低温低水位湯張りモードの設定画面が操作されることにより、通常の湯張モードから低温低水位湯張りモードに設定変更できる。
【００８８】
これによれば、遠隔装置１５、１６の低温低水位湯張りモードの設定画面が操作されることにより、通常の湯張モードから低温低水位湯張りモードに設定変更できるから、モードの変更が容易である。
【００８９】
（第３実施形態）
次に、本発明の第３実施形態について説明する。上述した実施形態と異なる特徴部分を説明する。図１０において、図１０（ａ）に示す台所遠隔装置（メインリモコン）１６のメニュースイッチをタッチ操作することにより、表示画面１６ｄに図１０（ｂ）から（ｄ）に示す画面を表示させることができる。
【００９０】
例えば、図１０（ｂ）の画面において、設定温度をアップダウンスイッチで選択して決定スイッチで決定し、図１０（ｃ）の半身浴設定における設定温度（目標温度）をアップダウンスイッチで例えば３７℃に設定する。また、図１０（ｄ）の表示画面１６ｄにて半身浴の設定水位（目標水位）を１００リットル（１００Ｌ）に設定することができる。
【００９１】
（第４実施形態）
次に、本発明の第４実施形態について説明する。上述した実施形態と異なる特徴部分を説明する。図１１において、第１実施形態と異なるのは、浴槽７内の水を排水する排水栓１２の開閉を行う駆動装置１３が制御装置２８から配線５６ａを介して電源線と通信線の供給を受けている点である。
【００９２】
この第４実施形態においては、排水栓１２の開閉を行う駆動装置１３は、制御装置２８との通信手段を備え、制御装置２８により駆動装置１３を介して排水栓１２の開閉が操作される。これによれば、制御装置２８により駆動装置１３を直接制御することができるため、制御装置２８内の情報を活用して駆動装置１３に直接的に制御信号を供給できる。
【００９３】
また、制御装置２８から駆動装置１３に通信信号と電源の両方を供給する配線５６ａを有し、駆動装置１３への通信信号と電源とを制御装置２８から供給するから、浴槽７近辺の余計な配線を減らすことができる。
【００９４】
（第５実施形態）
次に、本発明の第５実施形態について説明する。上述した実施形態と異なる特徴部分を説明する。図１２において、第１実施形態と異なるのは、浴槽７内の水を排水する排水栓１２の開閉を行う駆動装置１３が制御装置２８から配線５６ｂを介して通信線の供給を受け、電源線５６ｃは浴室内または浴室近辺の防水コンセントから駆動装置１３に供給されている点である。
【００９５】
この第５実施形態においては、排水栓１２の開閉を行う駆動装置１３は、制御装置２８との間に通信線となる配線５６ａを備え、制御装置２８により駆動装置１３を介して排水栓１２の開閉が操作される。これによれば、制御装置２８により駆動装置１３を直接制御することができるため、制御装置２８内の情報を活用して駆動装置１３に直接的に制御信号を供給できる。
【００９６】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００９７】
上記各実施形態においては半身浴について説明したが、半身浴湯張りに限定されるものではなく、既に湯張りされている状態の所定の湯張り状態を、それよりも設定温度が低いまたは設定水位が低い好みの湯張り状態（エコノミ浴湯張りモードまたは低温低水位湯張りモードと言うことができる）に自動的に変更調整するためにも、全く同様の方法および構造で実現することができる。
【００９８】
この場合も、制御装置が排水手段と連携して浴槽の排水栓の開閉を実施することができ、かつ、浴槽に接続された熱回収回路によって、浴槽の熱量を貯湯タンクに回収することができるため、浴槽の湯の熱量を無駄に捨てることなく、浴槽の温度を好みの温度と湯量に変更して調整することができ、個々のユーザの嗜好に適した浴槽状態を自動的に作り出すことができるため使い勝手が良い。なお、あらかじめ複数人分の好みの温度と湯量を設定・記憶して、各人の入浴タイミングに合わせてスイッチ操作または予約運転によって順次浴槽内の湯の温度と水位とを変更して調整できるようにしてもよい。また、排水手段は、電磁弁や電動弁を使用しても良い。
【符号の説明】
【００９９】
５２  温度検出手段
１２、１３  排水手段
４８  水位検出手段
５３  風呂ポンプ
２５、２７、５３  熱回収手段
Ｓ００５、Ｓ００７  温度調整手段
Ｓ００６  水位調整手段（Ｓ００６）
３２  熱回収三方弁
２７  追焚ポンプ
１５、１６  遠隔装置
【図１】
2014095519.tif 000003
【図２】
2014095519.tif 000004
【図３】
2014095519.tif 000005
【図４】
2014095519.tif 000006
【図５】
2014095519.tif 000007
【図６】
2014095519.tif 000008
【図７】
2014095519.tif 000009
【図８】
2014095519.tif 000010
【図９】
2014095519.tif 000011
【図１０】
2014095519.tif 000012
【図１１】
2014095519.tif 000013
【図１２】
2014095519.tif 000014